(57)【要約】      （修正有）【課題】消火用泡の放出によって煙や有毒ガス等で避難救助者の避難救助を妨げないようにすることができる高膨張泡消火設備を提供する。【解決手段】泡水溶液を高膨張泡として防護領域Ｒに放出する発泡機を防護領域Ｒ内に複数備えた高膨張泡消火設備１であって、複数の発泡機は、防護領域Ｒ内の天井Ｃ付近に形成される煙層ＳＬよりも下方の空気を取り込んで発泡する第１の発泡機２−１と、防護領域Ｒ内の天井Ｃ付近の空気を取り込んで発泡する第２の発泡機２−２とを含み、第１の発泡機２−１と第２の発泡機２−２の動作を制御する制御手段７を更に備えたことを特徴とする。【選択図】図１
2013070959.tif 000002
【特許請求の範囲】
【請求項１】
発泡機本体の先端に設けられた発泡網と、前記発泡機本体内部の後端側に設けられ、前記発泡網に向かって泡水溶液を放射する放射ノズルと、前記発泡機本体の後端に設けられ、空気が吸引される吸気口とを有し、前記放射ノズルから放射された泡水溶液を前記発泡網に当てることにより前記吸気口から取り込んだ空気を利用して高い発泡倍率で発泡し、前記泡水溶液を高膨張泡として防護領域に放出する発泡機を前記防護領域内に複数備えた高膨張泡消火設備であって、
前記複数の発泡機は、防護領域内の天井付近に形成される煙層よりも下方の空気を取り込んで発泡する第１の発泡機と、防護領域内の天井付近の空気を取り込んで発泡する第２の発泡機とを含み、
そして、前記第１の発泡機と前記第２の発泡機の動作を制御する制御手段を更に備えたことを特徴とする高膨張泡消火設備。
【請求項２】
発泡機本体の先端に設けられた発泡網と、前記発泡機本体内部の後端側に設けられ、前記発泡網に向かって泡水溶液を放射する放射ノズルと、前記発泡機本体の後端に設けられ、空気が吸引される吸気口とを有し、前記放射ノズルから放射された泡水溶液を前記発泡網に当てることにより前記吸気口から取り込んだ空気を利用して高い発泡倍率で発泡し、前記泡水溶液を高膨張泡として防護領域に放出する発泡機を前記防護領域内に複数備えた高膨張泡消火設備であって、
前記複数の発泡機は、前記防護領域内の空気を空気浄化手段を介して取り込んで発泡する第１の発泡機と、前記防護領域内の空気を空気浄化手段を介さずに取り込んで発泡する第２の発泡機とを含み、
そして、前記第１の発泡機と前記第２の発泡機の動作を制御する制御手段を更に備えたことを特徴とする高膨張泡消火設備。
【請求項３】
発泡機本体の先端に設けられた発泡網と、前記発泡機本体内部の後端側に設けられ、前記発泡網に向かって泡水溶液を放射する放射ノズルと、前記発泡機本体の後端に設けられ、空気が吸引される吸気口とを有し、前記放射ノズルから放射された泡水溶液を前記発泡網に当てることにより前記吸気口から取り込んだ空気を利用して高い発泡倍率で発泡し、前記泡水溶液を高膨張泡として防護領域に放出する発泡機を前記防護領域内に複数備えた高膨張泡消火設備であって、
前記複数の発泡機は、前記防護領域外の空気を取り込んで発泡する第１の発泡機と、前記防護領域内の空気を取り込んで発泡する第２の発泡機とを含み、
そして、前記第１の発泡機と前記第２の発泡機の動作を制御する制御手段を更に備えたことを特徴とする高膨張泡消火設備。
【請求項４】
前記制御手段の制御によって、前記第１の発泡機を動作させた後、前記第２の発泡機を動作させる切換手段を更に備えていることを特徴とする請求項１乃至３の何れかに記載の高膨張泡消火設備。
【請求項５】
前記第１の発泡機から放出された高膨張泡の堆積高さを測定する測定手段を更に備え、その測定手段が高膨張泡の所定の堆積高さを測定したときに、前記切換手段に切換動作させることを特徴とする請求項４に記載の高膨張泡消火設備。
【発明の詳細な説明】
【技術分野】
【０００１】
この発明は、高膨張泡消火設備に関する。
【背景技術】
【０００２】
従来より、例えば、石油コンビナートのピット、石油コンビナートのカルバート、或いは、船室、船倉、工場、各種危険物施設等には所謂インサイドエア式の高膨張泡消火設備が設けられている。高膨張泡消火設備は、発泡機から高膨張消火用泡を放出し、消火区画内の床面付近で燃えている火点を泡で埋め尽くすことで窒息消火を行うものである（例えば、特許文献１参照）。
【０００３】
尚、一般に、数十倍から１０００倍程度（１０００倍以上のこともある。）の高い発泡倍率の泡を発泡させるものが高膨張泡消火設備といわれており、又、その中でも、発泡機が泡水溶液を発泡させる際に、室内の空気を取り込んで発泡させるものがインサイドエア式の高膨張泡消火設備といわれている（室外の空気を取り込んで発泡させるものはアウトサイドエア式の高膨張泡消火設備といわれている。）。
【先行技術文献】
【特許文献】
【０００４】
【特許文献１】特開平０６−１６５８３７号公報
【発明の概要】
【発明が解決しようとする課題】
【０００５】
高膨張泡消火設備の発泡機は、通常、防護領域の天井付近に設けられている。火災発生時、高膨張泡消火設備が起動する頃には、天井付近には火災の熱によって上昇した煙や有毒ガス等が層をなすように滞留して所謂煙層が形成されるが、インサイドエア式の高膨張泡消火設備の場合、発泡機は、そのような煙層内の煙や有毒ガス等を含んだ空気を取り込んで泡水溶液を発泡させることになる。このため、従来の高膨張泡消火設備においては、天井付近に形成される煙層内の煙や有毒ガス等を発泡機から放出される消火用泡と共に床面に降下させてしまうことになるので、消火用泡の放出を開始する際に、防護領域内に避難救助者がいると、消火用泡の放出によって煙や有毒ガス等で避難救助者の避難救助を妨げてしまう可能性があるという問題があった。
【０００６】
この発明は、前記の事情に鑑み、消火用泡の放出によって煙や有毒ガス等で避難救助者の避難救助を妨げないようにすることができる高膨張泡消火設備を提供することを目的とする。
【課題を解決するための手段】
【０００７】
この発明は、発泡機本体の先端に設けられた発泡網と、前記発泡機本体内部の後端側に設けられ、前記発泡網に向かって泡水溶液を放射する放射ノズルと、前記発泡機本体の後端に設けられ、空気が吸引される吸気口とを有し、前記放射ノズルから放射された泡水溶液を前記発泡網に当てることにより前記吸気口から取り込んだ空気を利用して高い発泡倍率で発泡し、前記泡水溶液を高膨張泡として防護領域に放出する発泡機を前記防護領域内に複数備えた高膨張泡消火設備であって、前記複数の発泡機は、防護領域内の天井付近に形成される煙層よりも下方の空気を取り込んで発泡する第１の発泡機と、防護領域内の天井付近の空気を取り込んで発泡する第２の発泡機とを含み、そして、前記第１の発泡機と前記第２の発泡機の動作を制御する制御手段を更に備えたことを特徴とする高膨張泡消火設備である。
【０００８】
又、この発明は、発泡機本体の先端に設けられた発泡網と、前記発泡機本体内部の後端側に設けられ、前記発泡網に向かって泡水溶液を放射する放射ノズルと、前記発泡機本体の後端に設けられ、空気が吸引される吸気口とを有し、前記放射ノズルから放射された泡水溶液を前記発泡網に当てることにより前記吸気口から取り込んだ空気を利用して高い発泡倍率で発泡し、前記泡水溶液を高膨張泡として防護領域に放出する発泡機を前記防護領域内に複数備えた高膨張泡消火設備であって、前記複数の発泡機は、前記防護領域内の空気を空気浄化手段を介して取り込んで発泡する第１の発泡機と、前記防護領域内の空気を空気浄化手段を介さずに取り込んで発泡する第２の発泡機とを含み、そして、前記第１の発泡機と前記第２の発泡機の動作を制御する制御手段を更に備えたことを特徴とする高膨張泡消火設備である。
【０００９】
又、この発明は、発泡機本体の先端に設けられた発泡網と、前記発泡機本体内部の後端側に設けられ、前記発泡網に向かって泡水溶液を放射する放射ノズルと、前記発泡機本体の後端に設けられ、空気が吸引される吸気口とを有し、前記放射ノズルから放射された泡水溶液を前記発泡網に当てることにより前記吸気口から取り込んだ空気を利用して高い発泡倍率で発泡し、前記泡水溶液を高膨張泡として防護領域に放出する発泡機を前記防護領域内に複数備えた高膨張泡消火設備であって、前記複数の発泡機は、前記防護領域外の空気を取り込んで発泡する第１の発泡機と、前記防護領域内の空気を取り込んで発泡する第２の発泡機とを含み、そして、前記第１の発泡機と前記第２の発泡機の動作を制御する制御手段を更に備えたことを特徴とする高膨張泡消火設備である。
【００１０】
又、この発明は、前記制御手段の制御によって、前記第１の発泡機を動作させた後、前記第２の発泡機を動作させる切換手段を更に備えていることを特徴とする高膨張泡消火設備である。
【００１１】
又、この発明は、前記第１の発泡機から放出された高膨張泡の堆積高さを測定する測定手段を更に備え、その測定手段が高膨張泡の所定の堆積高さを測定したときに、前記切換手段に切換動作させることを特徴とする高膨張泡消火設備である。
【発明の効果】
【００１２】
この発明によれば、第１の発泡機によって、煙や有毒ガス等を含まない空気を取り込ませて発泡させて、煙や有毒ガス等を含まない消火用泡を放出させるようにすることができる。つまり、火災発生時、制御手段の制御によって、先に第１の発泡機のみを発泡動作させるようにすることで、先に煙や有毒ガス等を含まない消火用泡のみを防護領域の床面上に堆積させることができ、消火用泡の放出を開始する際に、防護領域内に避難救助者がいたとしても、消火用泡の放出により煙や有毒ガス等で避難救助者の避難救助を妨げないようにすることができる。
【図面の簡単な説明】
【００１３】
【図１】この発明の高膨張泡消火設備の一実施形態を示したシステム構成図であると共に、第１の発泡機が消火用泡を発泡して放出している状態における防護領域内の様子を側面視で示した図である。
【図２】同上を示し、第２の発泡機が消火用泡を放出している状態における図１に相当する図である。
【発明を実施するための形態】
【００１４】
[第１の実施形態]
この発明の一実施形態を防護領域として工場の工作室に設備する場合を例に図面に基づいて説明する。
【００１５】
図１及び図２に示したように、高膨張泡消火設備１は、工作室Ｒ内に高膨張の消火用泡を発泡して放出する発泡機として、第１の発泡機２−１と第２の発泡機２−２とを備えている。高膨張泡消火設備１は、これら第１の発泡機２−１と第２の発泡機２−２により、火災発生時、泡水溶液供給源から供給本管ＭＰ等を介して供給される泡水溶液を発泡させて高膨張の消火用泡Ｆ１、Ｆ２として工作室Ｒ内に放出して、火源、例えば工作機械Ｍを覆いつつ、工作室Ｒ内を埋め尽くして、火災の消火をすることができるようになっている。
【００１６】
尚、高膨張泡消火設備１において、３は消火水が貯蔵される消火水タンク、４は泡消火薬剤が貯蔵される泡消火薬剤タンク、５は消火水タンク３内の消火水と泡消火薬剤タンク４内の泡消火薬剤とを混合して泡水溶液を生成する混合器、６は消火水タンク３内の消火水を圧送すると共に、混合器５で生成された泡水溶液を圧送するためのポンプであり、これらによって泡水溶液供給源が構成されている。又、７は制御装置であり、この制御装置７には、工作室Ｒ内で発生する火災を感知し、火災警報を発する火災警報器８と前記のポンプ６が信号線Ｌを介して接続されており、この制御装置７によって、高膨張泡消火設備１は、火災発生時に、火災警報器８からの火災信号に基づいて、ポンプ６を起動させ、泡水溶液供給源から第１の発泡機２−１と第２の発泡機２−２に泡水溶液を供給して発泡動作させるよう制御することができるようになっている。この制御装置７には、信号線Ｌを介し、更にレベルセンサ９や第１の開閉弁Ｖ１及び第２の開閉弁Ｖ２も接続されているが、それらの詳細については後記で説明する。
【００１７】
第１の発泡機２−１と第２の発泡機２−２は、何れも、発泡機本体２ａの先端に設けられた発泡網２ｂと、発泡機本体２ａ内部の後端側に設けられ、発泡網に向かって泡水溶液を放射する放射ノズル（図示省略）と、発泡機本体２ａの後端に設けられ、空気が吸引される吸気口２ｃとを有しており、泡水溶液供給源から供給される泡水溶液を放射ノズルから放射して、先端の発泡網２ｂに当てることにより、後端の吸気口２ｃから取り込んだ空気を利用して、数十倍から１０００倍程度（１０００倍以上としてもよい。）の高い発泡倍率で発泡し、高膨張泡として放出することができるようになっている。
【００１８】
そして、第１の発泡機２−１と第２の発泡機２−２は、本実施の形態においては、何れも、吸気口２ｃから工作室Ｒ内の空気を取り込むインサイドエア式のものではあるが、第１の発泡機２−１は、発泡の際に、天井Ｃ付近に火災の熱によって上昇した煙や有毒ガス等が層をなすように滞留して形成される煙層ＳＬの下方の空気を吸気口２ｃから取り込むよう構成されているのに対し、第２の発泡機２−２は、発泡の際に、第２の発泡機２−２は、天井Ｃ付近の空気を吸気口２ｃから取り込むよう構成されており、具体的には、第１の発泡機２−１は、発泡の際に、煙層ＳＬの下方の空気を吸気口２ｃから取り込むことができるような工作室Ｒ内における高さ位置に設けられているのに対し、第２の発泡機２−２は、発泡の際に、天井Ｃ付近の空気を吸気口２ｃから取り込むことができるような工作室Ｒ内における高さ位置に設けられている。
【００１９】
ここで、第１の発泡機２−１が、前記のように、その発泡に際し、天井Ｃ付近に火災の熱によって上昇した煙や有毒ガス等が層をなすように滞留して形成される煙層ＳＬの下方の空気を吸気口２ｃから取り込むよう構成されていることで、高膨張泡消火設備１は、第１の発泡機２−１に煙や有毒ガス等を含まない空気を取り込ませて発泡させるようにすることができ、それにより第１の発泡機から煙や有毒ガス等を含まない消火用泡を放出させるようにすることができるものとなっており、先に第１の発泡機２−１のみを発泡動作させるようにすることで、先に煙や有毒ガス等を含まない消火用泡のみを工作室Ｒ内の床面上に堆積させることができ、消火用泡の放出を開始する際に、工作室Ｒ内に避難救助者がいたとしても、消火用泡の放出により煙や有毒ガス等で避難救助者の避難救助を妨げないようにすることができるものとなっている。尚、火源が第１の発泡機２−１の真下に位置する場合、第１の発泡機は、その発泡に際し、火源から上昇する煙や有毒ガス等を取り込んでしまうこととなる。しかしながら、第１の発泡機２−１の真下に火種となるものが位置しないようにすることで、そうならないようにすることができる。
【００２０】
第１の発泡機２−１と第２の発泡機２−２の設置の高さ位置は、第１の発泡２−１については、発泡の際に煙層ＳＬの下方の空気を吸気口２ｃから取り込むことができる範囲で適宜設定することができ、第２の発泡機２−２については、発泡の際に天井Ｃ付近の空気を吸気口２ｃから取り込むことができる範囲で適宜設定することができる。具体的には、例えば、図１及び図２に示したように、第１の発泡機２−１の設置の高さ位置については、工作室Ｒ内の高さ方向中間の高さ位置（天井高中間の高さ位置）とすることができ、第２の発泡機２−２の設置の高さ位置については、工作室Ｒの天井Ｃ直下の高さ位置とすることができる。尚、第１の発泡機２−１の設置の高さ位置については、防護領域の天井高が高い場合には、人の身長の高さよりも高い位置とすることが避難救助の点で好ましく、具体的に２〜２．５ｍの高さ位置とすることができる。
【００２１】
第１の発泡機２−１と第２の発泡機２−２には、前記の通り、泡水溶液の供給本管ＭＰ等を介して泡水溶液が供給されるが、具体的には、供給本管ＭＰと、その供給本管ＭＰから分岐する第１の分岐供給管ＢＰ１と第２の分岐供給管ＢＰ２とを介して泡水溶液が供給され、それら第１の分岐供給管ＢＰ１と第２の分岐供給管ＢＰ２には、制御装置７に信号線Ｌを介してそれぞれ接続され、第１の発泡機２−１と第２の発泡機２−２への泡水溶液の供給の切換手段を構成する第１の開閉弁Ｖ１と第２の開閉弁Ｖ２が設けられていて、制御装置７による第１の開閉弁Ｖ１と第２の開閉弁Ｖ２の開閉動作の制御によって、第１の発泡機２−１と第２の発泡機２−２への泡水溶液の供給の有無を選択制御することができるようになっており、又、第１の発泡機２−１と第２の発泡機２−２への泡水溶液の供給の切換制御することができるようになっている。
【００２２】
ここで、防護領域である工作室Ｒ内の避難救助者の避難救助に消火用泡中の煙や有毒ガス等が妨げとならないようにするには、火災発生時、先に第１の発泡機２−１のみを発泡動作させて、先に煙や有毒ガス等を含まない消火用泡のみを工作室Ｒ内の床面上に堆積させる必要があるが、前記の通り、本実施の形態においては、制御装置７によって、第１の発泡機２−１と第２の発泡機２−２への泡水溶液の供給の有無を選択制御することができるようになっており、又、第１の発泡機２−１と第２の発泡機２−２への泡水溶液の供給の切換制御することができるようになっていることで、図１に示したように、先に第１の発泡機２−１のみを発泡動作させて、第１の発泡機２−１に煙層ＳＬの下方にある煙や有毒ガス等を含まない空気を取り込ませて発泡させた消火用泡Ｆ１、即ち、煙や有毒ガス等を含まない消火用泡Ｆ１を先に工作室Ｒ内の床面上に堆積させるようにすることができるものとなっており、その後、第１の発泡機２−１から第２の発泡機２−２へと泡水溶液の供給先を切り換えて、図２に示したように、第２の発泡機２−２に発泡動作させて、それが放出した消火用泡Ｆ２を第１の発泡機２−１が放出して先に堆積させた消火用泡Ｆ１の上に堆積させ、工作室Ｒ内の天井Ｃ付近まで積み上げることができるものとなっている。
【００２３】
これにより、本実施形態の高膨張泡消火設備１は、第１の発泡機２−１によって、先に煙や有毒ガス等を含まない消火用泡Ｆ１のみを工作室Ｒ内の床面上に堆積させるようにすることができ、消火用泡Ｆ１の放出の開始の際に、工作室Ｒ内に避難救助者がいたとしても、消火用泡の放出によって煙や有毒ガス等で避難救助者の避難救助を妨げないようにすることができるものでありつつ、その後、第２の発泡機２−２に消火用泡Ｆ２を放出させて、その消火用泡Ｆ２を先に床面上に堆積させた消火用泡Ｆ１の上に堆積させ、工作室Ｒ内の天井Ｃ付近まで積み上げて、工作室Ｒ内を消火用泡Ｆ１とＦ２で埋め尽くし、それにより工作室Ｒ内で発生する火災の窒息消火ができるものとなっている。尚、本実施形態において、高膨張泡消火設備１は、第１の発泡機２−１と第２の発泡機２−２とを１機づつ備えたものとなっているが、それらの数は防護領域の広さ等の条件に応じ、勿論増やしてもよい。
【００２４】
更に、高膨張泡消火設備１は、前記の通り、制御装置７により、第１の開閉弁Ｖ１と第２の開閉弁Ｖ２を開閉制御して、泡水溶液の供給先を第１の発泡機２−１から第２の発泡機２−２へと切換制御することができるようになっているが、本実施形態においては、その切換制御を所定のタイミングですることができるものとなっている。即ち、高膨張泡泡消火設備１は、工作室Ｒ内に消火用泡の堆積高さを測定することができるレベルセンサ（例えば水位センサ等）９を備えており、そのレベルセンサ９が制御装置７に信号線Ｌを介して接続されていて、レベルセンサ９が第１の発泡機２−１から放出され消火用泡Ｆ１が所定の堆積高さになるのを検知したタイミングで、泡水溶液の供給先を第１の発泡機２−１から第２の発泡機２−２へと切換制御することができるようになっており、第１の発泡機２−１から放出される消火用泡Ｆ１の堆積高さが所定の高さになったときに、泡水溶液の供給先を第１の発泡機２−１から第２の発泡機２−２へと切換制御して、第２の発泡機２−２を発泡動作させるよう制御することができるものとなっている。尚、レベルセンサ９の設置高さについては、第１の発泡機２−１の設置高さと同じにするか、それよりも若干低い設置高さとすることが避難救助の点で好ましい。
【００２５】
本実施形態の高膨張泡消火設備１の火災発生時の動作について説明する。
【００２６】
火災発生時、火災警報器８が火災の発生を感知すると、火災信号を制御装置７に送信する。制御装置７は火災警報機８からの火災信号を受信すると、ポンプ６に起動信号を送信して、ポンプ６を起動させる。ポンプ６が起動すると、供給本管ＭＰを介して泡水溶液の供給が開始される。この際、第１の発泡機２−１への泡水溶液の供給を制御する第１の開閉弁Ｖ１は開状態にあり、第２の発泡機２−２への泡水溶液の供給を制御する第２の開閉弁Ｖ２は閉状態にあり、供給本管ＭＰを介して供給される泡水溶液は第１の分岐供給管ＢＰ１を介して第１の発泡機２−１のみに供給されることとなり、先に第１の発泡機２−１のみが発泡を開始することとなる。
【００２７】
ここで、図１に示したように、火災発生により天井Ｃ付近には煙や有毒ガス等を含む煙層ＳＬが形成されるが、第１の発泡機２−１は、その煙層ＳＬの下方の高さ位置に設けられているので、煙層ＳＬの下方の煙や有毒ガス等を含まない空気を取り込んで泡水溶液を発泡させ、煙や有毒ガス等を含まない消火用Ｆ１として放出し、それを工作室Ｒ内の床面上に堆積させることとなる。従って、第１の発泡機２−１から消火用泡Ｆ１の放出を開始する際に、工作室Ｒ内に避難救助者がいたとしても、消火用泡Ｆ１は煙や有毒ガス等を含んでいないので、その放出によって煙や有毒ガス等で避難救助者の避難救助を妨げるようなことがない。尚、火源が第１の発泡機２−１よりも低い位置にある場合（例えば、図１に示したような工作機械Ｍ等である場合）、第１の発泡機２−１から放出される消火用泡Ｆ１は、火源を上方から覆って、火勢を抑えながら、床面上に堆積することとなる。
【００２８】
第１の発泡機２−１から放出された消火用Ｆ１が床面上に堆積し、それが所定の高さ位置に到達したのをレベルセンサ９が感知すると、その感知信号を制御装置７に送信する。制御装置７はその感知信号を受信すると、第１の開閉弁Ｖ１に閉弁信号を送信して閉弁動作させると共に、第２の開閉弁Ｖ２に開弁信号を送信して開弁動作させて、泡水溶液の供給先を第１の発泡機２−１から第２の発泡機２−２へと切り換える動作をさせ、第２の発泡機２−２は発泡を開始させる。第２の発泡機２−２は、図２に示したように、発泡の際に、天井Ｃ付近の煙や有毒ガス等を含む煙層ＳＬ内の空気を取り込むこととなるので、煙や有毒ガス等を含む消火用泡Ｆ２を放出することになるが、その消火用Ｆ２は消火用泡Ｆ１の上に堆積することになる。
【００２９】
そして、第２の発泡機２−２から放出された消火用泡Ｆ２が、第１の発泡機から放出された消火用泡Ｆ１の上に堆積し、工作室Ｒ内の天井Ｃ付近まで積み上がると、工作室Ｒ内は消火用泡Ｆ１とＦ２とで埋め尽くされることとなり、工作室Ｒ内で発生した火災は窒息消火されることとなる。
【００３０】
[他の実施形態]
この発明の一実施形態を上記の通り図面に基づいて説明したが、図示は省略するが、例えば、次のようにその構成を変更することができる。
【００３１】
上記実施形態の高膨張泡消火設備１においては、第１の発泡機２−１を天井Ｃ付近に火災の熱によって上昇した煙や有毒ガス等が層をなすように滞留して形成される煙層ＳＬの下方の空気を吸気口２ｃから取り込むよう構成されるものとしているが、第１の発泡機２−１は、発泡に際し、火災により発生する煙や有毒ガス等を含まない空気を取り込むよう構成されるものであればよく、例えば、それが取り込む空気の浄化手段（例えば、フィルタ等。）を備えたものとして、煙や有毒ガス等を含む空気を浄化して取り込むことのできるものとしてもよいし、又、工作室Ｒの室外の空気を取り込むアウトサイドエア式のものとして、工作室Ｒの室外の煙や有毒ガス等を含まない空気を取り込むことのできるものとしてもよい。何れの場合も、上記実施形態と同様、第１の発泡機２−１によって、先に煙や有毒ガス等を含まない消火用泡Ｆ１のみを工作室Ｒ内の床面上に堆積させるようにすることができ、消火用泡Ｆ１の放出の開始の際に、工作室Ｒ内に避難救助者がいたとしても、消火用泡の放出によって煙や有毒ガス等で避難救助者の避難救助を妨げないようにすることができる。
【００３２】
尚、第１の発泡機２−１をアウトサイドエア式のものとする場合、高膨張泡消火設備１は、アウトサイドエア式の第１の発泡機２−１とインサイドエア式の第２の発泡機２−１とを組み合わせて利用するものとなる。第１の発泡機２−１をアウトサイドエア式のものにするには、工作室Ｒの室外の空気を取り込むことができるようにするために、工作室Ｒの壁等に穴を開ける必要があるが、全ての発泡機をアウトサイドエア式にするものではないので、全ての発泡機がアウトサイドエア式のものである設備に比べれば、工作室Ｒの壁等に開ける穴の数を減らすことができ、設備費用を減らすことができる。
【符号の説明】
【００３３】
１：高膨張泡消火設備  ２−１：第１の発泡機  ２−２：第２の発泡機
２ａ：発泡機本体  ２ｂ：発泡網  ２ｃ：吸気口  ３：消火水タンク
４：泡消火薬剤タンク  ５：混合器  ６：ポンプ  ７：制御装置
８：火災警報器  ９：レベルセンサ  Ｌ：信号線  ＭＰ：泡水溶液供給本管
ＢＰ１：第１の分岐供給管  ＢＰ２：第２の分岐供給管  Ｖ１：第１の開閉弁
Ｖ２：第２の開閉弁  Ｃ：天井  ＳＬ：煙層
【図１】
2013070959.tif 000003
【図２】
2013070959.tif 000004